(57)【特許請求の範囲】
【請求項１】
建物に取り付けられたダクトであって、間隔をあけて配置された一対の側壁と、各側壁の端部から相手側の側壁に向けて延出された一対の被係止片であって、互いに間隔をあけて配置されることで開口を画定した一対の被係止片と、各側壁の対向面上に配置された一対の接点とを有するダクトに着脱可能に設けられた照明用ソケット本体と、該照明用ソケット本体に連設された照明体接続部とを有する照明用ソケットを二つ備え、
前記一方の照明体接続部は、直管状の照明体の一方の被接続部を支持するように構成され、他方の照明体接続部は、直管状の照明体の他方の被接続部を支持するように構成され、
少なくとも一方の照明体接続部は、一方の被接続部に対して電気的に接続されるよう構成され、
前記各照明用ソケット本体は、前記照明体接続部を挟んで一方側および他方側に配置され回転操作又はスライド操作可能に構成された一方および他方の操作部と、前記一方の操作部に対する操作に伴って前記一方の被係止片に係止可能な状態となる一方の係止部と、前記他方の操作部に対する操作に伴って前記他方の被係止片に係止可能な状態となる他方の係止部とを備え、
前記少なくとも一方の照明用ソケット本体は、前記ダクトに取り付けられたときに前記照明体接続部の一方側で前記一方の接点と対向する一方の導通部と、前記ダクトに取り付けられたときに前記照明体接続部の他方側で前記他方の接点と対向する他方の導通部と、一方の操作部に対する操作に伴って一方の導通部を一方の接点に接触するように誘導する一方の誘導部と、他方の操作部に対する操作に伴って他方の導通部を他方の接点に接触するように誘導する他方の誘導部とを備えたことを特徴とする直管灯用取付具。
【発明の詳細な説明】
【技術分野】
【０００１】
本発明は、建物（天井や壁）に取り付けられたダクトに装着される照明用ソケットであって、照明体とダクトとを機械的且つ電気的に接続するための照明用ソケット及び直管灯用取付具に関する。
【背景技術】
【０００２】
従来のこの種の照明装置としては、光源としての発光ダイオード（ＬＥＤ素子）が透光性筒体で包囲されるとともに、両端に被接続部を有する直管状の照明体が取り付けられたものが提供されている。該照明装置は、例えば、図９に示す如く、建物（天井や壁）に取り付けられるダクト１００と、ダクト１００に取り付けられる一対のソケット１０１，１０１であって、前記照明体が取り付けられる一対のソケット１０１，１０１とを備える（特許文献１参照）。
【０００３】
ダクト１００は、長尺状に形成され、間隔をあけて対向する一対の側壁１００ｂ，１００ｂと、各側壁１００ｂ，１００ｂの端部から相手側の側壁１００ｂ，１００ｂに向けて延出した一対の延出部であって、互いに間隔をあけて配置されることで開口１００ａを画定した一対の延出部とを備える。また、ダクト１００は、各側壁１００ｂ，１００ｂから相手方の側壁部１００ｂ，１００ｂに向けて突出した一対の突片１０３，１０３であって、それぞれが長手方向に延びる一対の突片１０３，１０３と、各側壁１００ｂ，１００ｂの内面に取り付けられた一対の接点１０４，１０４であって、それぞれが長手方向に延びる一対の接点１０４，１０４とを備える。
【０００４】
各ソケット１０１は、照明体が接続される照明体接続部１０１ａと、照明体接続部１０１ａに連設された接続部１０１ｂとを備える。接続部１０１ｂは、ダクト１００の溝に挿入される軸１０５と、軸１０５の外周から径方向外方に延出した一対の係止片１０６，１０６と、一対の係止片１０６，１０６のそれぞれに対して軸１０５の軸心方向に間隔をあけて配置された一対の導通部１０７，１０７であって、照明体接続部１０１ａに給電可能に電気的に接続される一対の導通部１０７，１０７とを備える。
【０００５】
かかる構成の照明装置によれば、各ソケット１０１をダクト１００に取り付けることで、照明体に電気供給可能な状態で取り付け得る。具体的には、一対の係止片１０６，１０６が一対の延出部に沿った姿勢で軸１０５がダクト１００の開口１００ａから該ダクト１００内に挿入される。そして、軸１０５を中心にして、ソケット１０１全体を回転させることで、ダクト１００の一対の突片１０３，１０３のそれぞれに一対の係止片１０６，１０６のそれぞれが係止されるとともに、一対の接点１０４，１０４のそれぞれに、一対の導通部１０７が接触する。これにより、ソケット１０１は、ダクト１００に対して機械的に接続される。また、ソケット１０１は、ダクト１００（接点１０４）から電気供給可能に該ダクト１００へ接続される。すなわち、ソケット１０１は、照明体接続部１０１ａに接続される照明体（光源）に対して給電可能になる。
【先行技術文献】
【特許文献】
【０００６】
【特許文献１】実用新案登録第３１５７４９７号公報
【発明の概要】
【発明が解決しようとする課題】
【０００７】
ところで、上記構成の照明装置の場合、ソケット１０１の軸１０５をダクト１００の溝に挿入して、軸１０５を中心にして、ソケット１０１全体を回転させ、ソケット１０１の一対の係止片１０６，１０６をダクト１００の一対の突片１０３，１０３に係止させているため、ソケット１０１の回転が不十分な状態で係止することがある。この場合、ソケット１０１の導通部１０７とダクト１００の接点１０４との接触も不十分になり、接触不良が生じるという問題がある。
【０００８】
そこで、本発明は、斯かる実情に鑑み、既設のダクトに容易に且つ確実に取り付けることができる直管灯用取付具を提供することを課題とする。
【課題を解決するための手段】
【００１７】
本発明に係る直管灯用取付具は、建物に取り付けられたダクトであって、間隔をあけて配置された一対の側壁と、各側壁の端部から相手側の側壁に向けて延出された一対の被係止片であって、互いに間隔をあけて配置されることで開口を画定した一対の被係止片と、各側壁の対向面上に配置された一対の接点とを有するダクトに着脱可能に設けられた照明用ソケット本体と、該照明用ソケット本体に連設された照明体接続部とを有する照明用ソケットを二つ備え、前記一方の照明体接続部は、直管状の照明体の一方の被接続部を支持するように構成され、他方の照明体接続部は、直管状の照明体の他方の被接続部を支持するように構成され、少なくとも一方の照明体接続部は、一方の被接続部に対して電気的に接続されるよう構成され、前記各照明用ソケット本体は、前記照明体接続部を挟んで一方側および他方側に配置され回転操作又はスライド操作可能に構成された一方および他方の操作部と、前記一方の操作部に対する操作に伴って前記一方の被係止片に係止可能な状態となる一方の係止部と、前記他方の操作部に対する操作に伴って前記他方の被係止片に係止可能な状態となる他方の係止部とを備え、前記少なくとも一方の照明用ソケット本体は、前記ダクトに取り付けられたときに前記照明体接続部の一方側で前記一方の接点と対向する一方の導通部と、前記ダクトに取り付けられたときに前記照明体接続部の他方側で前記他方の接点と対向する他方の導通部と、一方の操作部に対する操作に伴って一方の導通部を一方の接点に接触するように誘導する一方の誘導部と、他方の操作部に対する操作に伴って他方の導通部を他方の接点に接触するように誘導する他方の誘導部とを備えたことを特徴とする。
【００１８】
かかる構成によれば、前記いずれかの照明用ソケットを二つ備えたため、両端に被支持部を有する直管状の照明体を二つの照明用ソケットにより支持することができ、既設のダクトに直管状の照明体を容易に取り付けることができる。
【発明の効果】
【００１９】
本発明によれば、既設のダクトに容易に且つ確実に取り付けることができる、という優れた効果を奏し得る。
【図面の簡単な説明】
【００２０】
【図１】図１は、本発明の一実施形態に係る照明用ソケット及び直管灯用取付具を示す側面図。
【図２】図２は、同実施形態に係る照明用ソケット及び直管灯用取付具の要部の断面図。
【図３】図３は、同実施形態に係る照明用ソケット及び直管灯用取付具をダクトに係止させた状態を示す図。
【図４】図４は、同実施形態に係る照明用ソケット及び直管灯用取付具の導通部、係止部、接触部、及び操作部を示す分解斜視図。
【図５】図５は、同実施形態に係る照明用ソケット及び直管灯用取付具のソケット、及び第二接続部材を示す分解斜視図。
【図６】図６は、同実施形態に係る照明用ソケット及び直管灯用取付具をダクトから取り外す状態を示す図。
【図７】図７（ａ），（ｂ）は、照明用ソケットの変形例を示す概略図。
【図８】図８（ａ），（ｂ）は、照明用ソケットの他の変形例を示す概略図。
【図９】図９は、従来の照明装置の要部を示す図。
【発明を実施するための形態】
【００２１】
以下、本発明の一実施形態に係る照明用ソケット及び直管灯用取付具について図面を参照しつつ説明する。
【００２２】
まず、既設のダクトについて図１及び図２を参照しつつ説明する。該ダクト２は、長手方向に延びて長尺状に形成され、長手方向に延びる帯状の開口２ｃを有する。より具体的には、ダクト２は、間隔をあけて互いに対向する一対の側壁２ａ，２ａと、該一対の側壁２ａ，２ａを連結する連結壁２ｂとを有し、一対の側壁２ａ，２ａ及び連結壁２ｂとにより溝を画定している。
【００２３】
各側壁２ａは、接点取付部２０と、カバー係止部２３とをそれぞれ備える。
【００２４】
接点取付部２０は、側壁２ａの上部及び下部にダクト２の長手方向（以下、単に「長手方向」と称する。）に沿って形成された一対の挿入溝２００，２００を有する。この一対の挿入溝２００，２００には、後述する接点支持部材２２の突片２２３，２２３が挿入される。
【００２５】
接点支持部材２２は、支持部２２０と、一対の突片２２３，２２３とを有する。
【００２６】
支持部２２０は、長手方向に溝２２１が形成されている。該溝２２１には、照明体接続部５に給電するための接点２２２が挿通支持される。この接点２２２には、ダクト２の端部に取り付けられた電源部Ｃから電力が供給される。
【００２７】
一対の突片２２３，２２３は、支持部２２０の幅方向（短手方向）の両端部から互いが離間する方向に延出して形成されている。そして、接点支持部材２２の一対の突片２２３，２２３が、接点取付部２０の挿入溝２００，２００に挿入される。これにより、接点支持部材２２が接点取付部２０に取り付けられる。
【００２８】
カバー係止部２３は、一対の側壁２ａ，２ａの端部から相手側の側壁２ａに向けて延出される一対の被係止片２３０，２３０を有する。各被係止片２３０は、ダクト２の長手方向に延びている。この一対の被係止片２３０，２３０は、一対の側壁２ａ，２ａの並ぶ方向に互いに間隔をあけて配置されることで、ダクト２の開口２ｃを画定する。
【００２９】
連結壁２ｂは、内面にアース線支持部２４を備える。アース線支持部２４は、連結壁２ｂの幅方向中央に長手方向に沿って形成される。また、アース線支持部２４は、アース線２５が挿通される溝２６が形成され、この溝２６にアース線２５が挿通支持される。アース線２５は、建物（例えば、天井や壁面）に照明用ソケット１を取り付ける際に、ボルトＢのネジ部が挿通され、該ボルトＢを介して接地（アース）される。
【００３０】
つぎに、照明体Ｌについて図１を参照しつつ説明する。該照明体Ｌは、光源としての複数の発光ダイオードと、光源を包囲する透光性筒体Ｌ２と、透光性筒体Ｌ２の両端に連結される被接続部Ｌ１，Ｌ１であって、一対の照明体接続部５，５によって支持される被接続部Ｌ１，Ｌ１とを有する。一方の被接続部Ｌ１には、直列に接続された光源（発光ダイオード）の電気回路の端子が設けられている（図示せず）。また、他方の被接続部Ｌ１には、前記電気回路の端子ではなく、照明体接続部５が被接続部Ｌ１を支持するために用いられる端子（即ち、電気的な接続には用いられない端子）が設けられている。
【００３１】
つぎに、本実施形態に係る直管灯用取付具Ａについて説明する。該直管灯用取付具Ａは、図１〜図３に示す如く、照明用ソケット１を二つ備える。また、本実施形態の直管灯用取付具Ａは、二つの照明用ソケット１，１間におけるダクト２の開口２ｃを塞ぐ図略の中間カバー部を有する。
【００３２】
照明用ソケット１は、ダクト２に着脱可能な照明用ソケット本体１０と、照明用ソケット本体１０に連接された照明体接続部５とを備える。この照明体接続部５は、照明体Ｌをダクト２の接点２２２と導通させる（電気的に接続する）。
【００３３】
照明用ソケット本体１０は、少なくとも一つの操作部Ｓと、操作部Ｓの操作に伴ってダクト２の被係止片２３０に係止可能な少なくとも一対の係止部８７５，８７５と、照明用ソケット本体１０がダクト２に取り付けられたときに該ダクト２の一対の接点２２２のそれぞれと対向する一対の導通部８０，８０と、一対の導通部８０，８０を誘導する誘導部８７２と、を備える。また、本実施形態の照明用ソケット本体１０は、カバー部３を有する。さらに、本実施形態の照明用ソケット本体１０は、該照明用ソケット本体１０と照明体接続部５とを接続するのに用いられる接続部６を有する。以下、具体的に説明する。尚、本実施形態の各照明用ソケット本体１０は、照明体接続部５を挟んで配置される二つの操作部Ｓをそれぞれ有する。
【００３４】
カバー部３は、図４及び図５に示す如く、カバー部本体３０と、該カバー部本体３０の裏面に形成された突条３１，３１と、を有する。カバー部本体３０は、板状の部位である。本実施形態のカバー部本体３０は、ダクト２の長手方向に長い矩形状の板部材である。このカバー部本体３０は、ボルトＢが挿通される二つの挿通孔３２，３２と、両挿通孔３２，３２の間に形成された貫通孔３３と、該貫通孔３３及び二つの挿通孔３２，３２を挟んで両側に形成された一対の挿通孔３４，３４とを有する。そして、カバー部本体３０は、照明用ソケット１がダクト２に取り付けられたときに、ダクト２の一対の被係止片２３０，２３０間に形成される開口２ｃであって、長手方向に延びる開口２ｃを塞ぐ。
【００３５】
ボルトＢの挿通孔３２，３２は、カバー部３（カバー部本体３０）における照明体接続部５の取付位置に形成されている。また、一対の挿通孔３２，３２は、後述する第二接続部材９０の第一接続片９４のボルトＢの挿通孔９４０、及び第二接続片９５のボルトＢの挿通孔９５０に連通する。
【００３６】
カバー部本体３０の貫通孔３３は、上述のように二つの挿通孔３２，３２間に形成されており、照明体接続部５と導通部８０とを電気的に接続するリード線（図示せず）を挿通するために用いられる。
【００３７】
突条３１，３１は、カバー部本体３０の裏面において長手方向に延び、幅方向に所定の間隔をあけて突設されている。この突条３１，３１は、後述する操作部Ｓの一対の係止部８７５，８７５をカバー部本体３０の裏面から離間させて回動可能に支持する。
【００３８】
そして、カバー部本体３０と突条３１と操作部Ｓと連接する係止部８７５とが、ダクト２の被係止片２３０を係止する溝を画定する。
【００３９】
操作部Ｓは、回転軸８７と、該回転軸８７の一端部に設けられた摘み８７１とを備える。この操作部Ｓの端部（摘み８７１と反対側の端部）には、回転軸８７の径方向に拡がる鍔部８７０が連接されている。
【００４０】
鍔部８７０は、カバー部本体３０に対して平行な板状の部位である。この鍔部８７０は、操作部Ｓの回転軸８７の他端部からカバー部本体３０と平行に拡がる。鍔部８７０は、短辺が突条３１，３１の間隔と同一寸法で、長辺がダクト２の一対の被係止片２３０，２３０を跨ぐ長さに設定されている。鍔部８７０の長辺方向の両端部（詳しくは、長辺方向において、回転軸８７の外周面から外側に延びている部位）のそれぞれがダクト２の被係止片２３０に係止される係止部８７５を構成する。即ち、鍔部８７０は、一対の係止部８７５，８７５を備える。鍔部８７０は、カバー部３の長手方向に対して、該鍔部８７０の長辺方向が直交する姿勢（係止位置）のときに、２つの突条３１，３１及びカバー部本体３０と共同して、ダクト２の被係止片２３０，２３０が挿入される溝を画定する。即ち、鍔部８７０が係止位置のときに、係止部８７５とカバー部本体３０とが、ダクト２の被係止片２３０を挟持する。
【００４１】
鍔部８７０は、その上面に、誘導部８７２を有する。本実施形態の誘導部８７２は、板バネ８１の突片８１０が挿入される楕円形状の凹部である。また、鍔部８７０の下面には、位置決め部８５の凸部８５３が係止する凹部８７３が形成されている。
【００４２】
接続部６は、図４及び図５に示す如く、カバー部３の内側（裏面側）に配置された第一接続部材７０と、カバー部３の外側（表面側）に配置された第二接続部材９０とを備える。以下では、先ず、接続部６によって照明用ソケット本体１０に接続される照明体接続部５について説明し、その後、接続部６について具体的に説明する。
【００４３】
照明体接続部５は、照明体Ｌの被接続部Ｌ１，Ｌ１を支持する。この照明体接続部５は、被接続部Ｌ１が係合する図略の係合部を有する。ここで、本実施形態の直管灯用取付具Ａに取り付けられる照明体Ｌでは、一方の被接続部Ｌ１のみに、光源の電気回路の端子が設けられている。このため、本実施形態の直管灯用取付具Ａにおける一対の照明用ソケット１，１のうちの一方の照明用ソケット１の照明体接続部５は、被接続部Ｌ１が前記係合部に係合されても、照明体Ｌの被接続部Ｌ１を支持するだけであり、前記一対の照明用ソケット１，１のうちの他方の照明用ソケット１の照明体接続部５は、被接続部Ｌ１が前記係合部に係合されることで、該被接続部Ｌ１に設けられている光源の電気回路の端子と、ダクト２の接点２２２とを導通させる（即ち、電気的に接続する）。また、照明体接続部５は、上部の両側に設けられた溝５００によって形成された一対の被支持片５０，５０を有する。この照明体接続部５は、接続部６（第一接続部材７０、第二接続部材９０）によってカバー部３の表面に着脱可能に取り付けられる。
【００４４】
第一接続部材７０は、本体７１と、押さえ板７２とを備える。
【００４５】
本体７１は、第一取付部７１０と、第二取付部７１１と、一対の導通部８０，８０と、位置決め部８５と、支持部８６とを有する。
【００４６】
第一取付部７１０は、本体７１の下端に設けられた一対の雌ねじであって、第二接続部材９０をカバー部３に取り付けるための一対の雌ねじである。この一対の雌ねじは、長手方向に間隔をおいて配置されている。
【００４７】
第二取付部７１１は、本体７１の上端に設けられた一対の雌ねじであって、押さえ板７２を取り付けるための一対の雌ねじである。この一対の雌ねじは、長手方向に間隔をおいて配置されている。
【００４８】
本実施形態の直管灯用取付具Ａには、一対の照明用ソケット１，１が設けられ、導通部８０は、一対の照明用ソケット１，１の少なくともいずれか一方の照明用ソケット１の第一接続部材７０に設けられる。本実施形態の導通部８０は、板バネ８１と、図略のリード線とを有する。具体的には、以下の通りである。
【００４９】
第一接続部材７０の本体７１は、該本体７１の内部に形成されたスペース７１３であって、導通部８０の一対の板バネ８１，８１の基端部８１ａ，８１ａを挿入可能なスペース７１３と、一対の板バネ８１，８１を支持する一対の段部７１４，７１４と、を備える。なお、板バネ８１，８１は、ダクト２の接点２２２との電気的な接続に用いられる。
【００５０】
各板バネ８１の先端部には、接触片８２，８２が形成されている。また、一対の板バネ８１，８１は、互いの基端部８１ａ，８１ａが対向する位置に配置され、Ｕ字状に折り曲げられている。一対の接触片８２，８２のそれぞれは、板バネ８１，８１によって外方に向かって常時付勢され、ダクト２の長手方向に位置ずれした状態で一対の接点支持部材２２，２２の接点２２２，２２２に圧接される。
【００５１】
一対の板バネ８１，８１の基端部８１ａ，８１ａと照明体接続部５とが図略のリード線によって接続されることで、照明体接続部５に対してダクト２の接点２２２から給電される。本実施形態では、上述のように、このリード線も導通部８０に含まれる。
【００５２】
押さえ板７２は、本体７１の内部に形成されるスペース７１３であって、板バネ８１の基端部８１ａが挿入されるスペース７１３を閉塞する。また、押さえ板７２は、後述する一対の板バネ８１，８１の位置を固定するための凸部７２０，７２０を有する。
【００５３】
位置決め部８５は、カバー部３の２つの突条３１，３１間に配置される本体部８５０と、外周部の下面が２つの突条３１，３１に当接するとともに、第一取付部７１０が挿通される挿通孔８５１ａを有する当接部８５１と、本体部８５０から延びる延出部８５２とを有する。該延出部８５２には、鍔部８７０の凹部８７３に係止する凸部８５３が形成されている。
【００５４】
支持部８６は、操作部Ｓを回転可能に支持する回転軸８６０を有する。そして、カバー部３の突条３１と、位置決め部８５の当接部８５１と、位置決め部８５の本体部８５０とで、操作部Ｓの係止部８７５が回動可能な溝が画定される。
【００５５】
第二接続部材９０は、本体９１と、一対の支持片９２，９２と、位置決め体９３と、一対の第一接続片９４と、第二接続片９５とを備える。
【００５６】
本体９１は、略中央部（一対の支持片９２，９２の間）に開口９６を有する。
【００５７】
一対の支持片９２，９２は、開口９６の周縁部の両側から突出した後、互いに内向きに延出している。そして、一対の支持片９２，９２は、照明体接続部５の一対の被支持片５０に係止して、照明体接続部５を支持する。
【００５８】
位置決め体９３は、開口９６の周縁から下方に突出し、且つ一対の支持片９２，９２を結ぶ直線方向に延びる。この位置決め体９３は、照明体接続部５を当接させることにより、カバー部３における照明体接続部５の長手方向の位置決めに用いられる。
【００５９】
第一接続片９４は、本体９１の周縁から、カバー部３の長手方向、すなわち、一対の支持片９２，９２を結ぶ直線に対して直交する方向に向かって延出する。また、第一接続片９４は、第二接続部材９０をカバー部３に固定するためのボルトＢが挿通される挿通孔９４０を有する。このボルトＢは、挿通孔９４０、カバー部３の挿通孔３２を通過して第一接続部材７０の第一取付部（雌ネジ）７１０に螺入される。
【００６０】
第二接続片９５は、一対の支持片９２，９２を結ぶ直線方向に延びる板状の部材である。この第二接続片９５は、第二接続部材９０をカバー部３に固定するためのボルトＢが挿通される挿通孔９５０を有する。
【００６１】
中間カバー部は、一対の照明用ソケット１，１のカバー部３間にあるダクト２の開口２ｃを閉じる（塞ぐ）ための板状の部材である。中間カバー部は、ダクト２に着脱可能に取り付けられる。また、中間カバー部は、その両端部を一対の照明用ソケット１，１のカバー部３にそれぞれ接続等することによって、一対の照明用ソケット１，１のカバー部３間にあるダクト２の開口２ｃを閉じてもよい。
【００６２】
つぎに本実施形態に係る直管灯用取付具Ａの使用態様について説明する。建物の天井の梁材等に取り付けられた既設のダクト２の開口２ｃを塞いでいるカバーが取り外されているものとする。また、直管灯用取付具Ａは、一対の照明体接続部５，５を有する。また、各操作部Ｓの摘み８７１を回転させて、該操作部Ｓに連接された一対の係止部８７５，８７５のうちの一方の係止部８７５が、カバー部３の突条３１、位置決め部８５、支持部８６とで形成される溝内に位置しているものとする（即ち、各操作部Ｓに連接された一対の係止部８７５，８７５が開放位置にある）。
【００６３】
また、一対の照明用ソケット１，１のうちの少なくとも一方の照明用ソケット１では、図略のリード線がカバー部３の貫通孔３３に挿通されて、照明体接続部５と導通部８０とが電気的に接続されて、直管灯用取付具Ａに取り付けられた照明体Ｌに給電できる状態になっている。
【００６４】
まず、ダクト２に直管灯用取付具Ａを取り付ける場合、各照明用ソケット１の第一接続部材７０をダクト２の溝内に挿入させ、直管灯用取付具のカバー部３の両側縁部をダクト２の被係止片２３０に当接させる。この状態で、各操作部Ｓの摘み８７１を半回転させる。これにより、カバー部３の長手方向に位置していた一対の係止部８７５，８７５は、９０度回転して、カバー部３の幅方向に位置するようになる（図３参照）。これにより、カバー部３の側縁部と、突条３１と、係止部８７５とで形成された溝内にダクト２の被係止片２３０が位置するようになる（即ち、各操作部Ｓに連接された一対の係止部８７５，８７５が係止位置になる）。このとき、カバー部３は、被係止片２３０に係止された係止部８７５とともに被係止片２３０を挟持した状態となっている。
【００６５】
このように、ダクト２の一対の被係止片２３０，２３０に係止された状態の各操作部Ｓに連接された一対の係止部８７５，８７５と、一対の被係止片２３０，２３０に当接するカバー部３の側縁部とが、ダクト２の一対の被係止片２３０，２３０を挟持することで、ダクト２に対する照明用ソケット１の係止強度が確保される。このように、カバー部３がダクト２に取り付けられることで、ダクト２の開口２ｃがカバー部３によって閉塞される。
【００６６】
また、一対の接触片８２，８２は、鍔部８７０の回転により、鍔部８７０に設けられた誘導部（本実施形態の例では楕円形の凹部）８７２の短径方向における円弧状の内周面の頂部から長径方向における円弧状の内周面の頂部まで、誘導部（楕円形の凹部）８７２の内周面に対して突片８１０が摺動（移動）するに伴って板バネ８１の付勢力によって外側に移動し、ダクト２の接点２２２とそれぞれ接触する。これにより、照明体接続部５、接続部６の導通部８０、ダクト２の接点２２２がそれぞれ電気的に接続される。
【００６７】
以上のようにして一対の照明用ソケット１，１がダクト２に取り付けられると、ダクト２における二つの照明用ソケット１，１間に中間カバー部を取り付け、該部位における開口２ｃを塞ぐ。最後に、一対の照明体接続部５，５に照明体Ｌを取り付ける（図１参照）。
【００６８】
つぎに、ダクト２から直管灯用取付具Ａを取り外す場合について説明する。先ず、一対の照明体接続部５，５から照明体Ｌを取り外す。その後、各操作部Ｓの摘み８７１を取り付け時とは逆方向に半回転させる。これにより、カバー部３の幅方向に位置していた一対の係止部８７５，８７５は、９０度回転して、カバー部３の長手方向に並ぶ（一対の係止部８７５，８７５が開放位置となる。：図６参照）。これにより、カバー部３の側縁部の裏面と、突条３１と、係止部８７５とで形成された溝からダクト２の被係止片２３０が離脱可能となる。その結果、ダクト２からカバー部３が取り外し可能になる。
【００６９】
また、接触片８２は、鍔部８７０の回転により、鍔部８７０の誘導部８７２の長径方向の円弧状の内周面の頂部から短径方向の円弧状の内周面の頂部まで、誘導部８７２の内周面に対して突片８１０が摺動（移動）するに伴って、ダクト２の接点２２２から離れる。これにより、照明体接続部５と、接続部６の導通部８０と、ダクト２の接点２２２との電気的な接続が切断される。
【００７０】
以上の照明用ソケット１及び直管灯用取付具Ａによれば、操作部Ｓの操作に伴って、一対の係止部８７５，８７５がダクト２に設けられた一対の被係止片２３０，２３０のそれぞれに係止されるとともに、一対の導通部８０，８０のそれぞれが誘導部８７２に誘導されて一対の接点２２２，２２２のそれぞれに接触する。したがって、操作部Ｓの操作でダクト２に対する照明用ソケット本体１０の機械的な取り付けと、導通部８０に対する電気的な接続とが容易に且つ確実に行うことができる。
【００７１】
本実施形態の照明用ソケット１では、ダクト２の開口２ｃの少なくとも一部を、照明用ソケット本体１０のカバー部３によって閉じる（塞ぐ）ことができる。このため、照明用ソケット本体１０が存在する領域においてダクト２の開口２ｃを閉じることができ、これにより、ダクト２内部の給電部（接点２２２または電気回路）への作業者等の該領域での誤接触を防いで感電を防止することができる。その結果、安全性が高くなる。
【００７２】
なお、本発明は、上記実施形態に限定されるものではなく、本発明の要旨を逸脱しない範囲で適宜変更を加え得ることは勿論のことである。
【００７３】
例えば、上記実施形態では、各照明用ソケット１において二つの操作部Ｓ，Ｓを回転させて、該照明用ソケット１をダクト２に係止するようにしたが、この構成に限定されない。照明用ソケットは、例えば、図７（ａ），（ｂ）に示す如く、基端部８１ａ，８１ａが固定され、略平行に配置された一対の板バネ８１，８１と、該一対の板バネ８１，８１の間に配置された楕円形の円板又は柱状の誘導部８７２を有する回転可能な照明体接続部５とを備えてもよい。この照明用ソケットによれば、照明体接続部５を回転させることで、一対の板バネ８１，８１の先端部に設けられた接触片８２，８２が誘導部８７２によって押し広げられる。これにより、一対の接触片８２のそれぞれがダクト２の接点２２２，２２２に接触するとともに、一対の係止部８７５，８７５がダクト２に係止される。
【００７４】
また、上記実施形態の場合、照明用ソケット１において、操作部Ｓは、回転するように構成されたが、この構成に限定されない。操作部Ｓは、例えば、図８（ａ），（ｂ）に示す如く、基端部が固定され、且つ略平行に配置された一対の板バネ８１，８１と、該一対の板バネ８１，８１の間に配置された誘導部８７２を有するスライド可能な照明体接続部５とを備えるようにしてもよい。誘導部８７２は、一対の板バネ８１，８１の基端部同士の間隔より大きな部位であり、図８（ａ），（ｂ）に示す例では、楕円形の板状又は柱状の部位である。また、照明体接続部５は、一対の板バネ８１間の中心線方向にスライド可能である。この照明用ソケットによれば、照明体接続部５を一方向に延びる前記中心線に沿って板バネ８１の基端部側にスライドさせることで、誘導部８７２によって一対の接触片８２，８２が押し広げられて、ダクト２の一対の接点２２２，２２２に押しつけられて接触する。
【００７５】
また、上記実施形態の場合、照明用ソケット１では、一つの操作部Ｓによって、該操作部Ｓに連接される一対の係止部８７５，８７５と、一つの接触片８２とを同時に操作できるようにしたが、この構成に限定されない。例えば、照明用ソケット１は、係止部８７５と、接触片８２とを別個の操作部Ｓの回転操作又はスライド操作によって操作するように構成されてもよい。
【００７６】
また、上記実施形態の場合、直管灯用取付具Ａでは、カバー部３と、中間カバー部とが別体であったが、一体に構成されてもよい。
【００７７】
また、上記実施形態の場合、一つの操作部Ｓの操作によって該操作部Ｓと連接する一対の係止部８７５，８７５が回動する（即ち、開放位置と係止位置との間で移動する）が、一つの照明用ソケット１に複数の操作部Ｓが設けられる場合、一つの操作部Ｓの操作によって該操作部Ｓと連接された一つの係止部８７５が回動する構成でもよい。この場合、照明用ソケット１において、一つの操作部Ｓの操作によって、一つの係止部８７５が、ダクト２の一対の被係止片２３０，２３０のうちの一方の被係止片２３０に係止され、他の操作部Ｓの操作によって、他の係止部８７５が、前記一対の被係止片２３０，２３０のうちの他方の被係止片２３０に係止される。
【００７８】
また、上記実施形態の場合、一つの照明用ソケット１に一対の操作部Ｓが設けられているが、一つの照明用ソケット１に一つ、又は３つ以上の操作部Ｓが設けられてもよい。
【００７９】
また、一対の導通部８０は、直管灯用取付具Ａの一対の照明体接続部５にそれぞれ設けられてもよい。かかる構成によれば、照明体Ｌの向きを気にせずに取り付けることができる。
【００８０】
また、前記実施形態の場合、操作部Ｓと係止部８７５とが一体であるが、別体であってもよい。また、操作部Ｓと係止部８７５とが離れた位置に配置され、リンク機構等を介して接続されていてもよい。
【００８１】
また、前記実施形態の場合、照明体として直管を例にとって説明したが、電球や曲管であってもよい。この場合、照明体接続部５は、電球等が取り付け可能なソケット形状等を有する。
【符号の説明】
【００８２】
Ａ…直管灯用取付具、１…照明用ソケット、２…ダクト、２ｃ…開口、２２２…接点、２３０…被係止片、３…カバー（照明用ソケット本体）、３３…貫通孔、５…照明体接続部、６…接続部、８０…導通部、８２…接触片、８５…位置決め部、８７…操作部の回転軸、８７０…係止片（係止部）、８７２…カム溝（押圧部）、Ｓ…操作部、Ｌ…照明体、Ｌ１…被接続部
【図１】
0006383596.tif 000002
【図２】
0006383596.tif 000003
【図３】
0006383596.tif 000004
【図４】
0006383596.tif 000005
【図５】
0006383596.tif 000006
【図６】
0006383596.tif 000007
【図７】
0006383596.tif 000008
【図８】
0006383596.tif 000009
【図９】
0006383596.tif 000010